(57)【要約】  開口部（４）に至る製品分配チャネル（５）が設けられたディスク状の蓋（３）を有する容器用密閉キャップ（１）において、ヒンジ（６）を使用して、蓋（３）が密閉キャップ（１）のケーシング部材（７）にヒンジ付けされる。ヒンジ（６）は、蓋（３）を、開口部（４）がケーシング部材（７）の内側表面（８）によって封止される閉鎖位置と、開口部（４）がケーシング部材（７）によって覆われない開放位置とに選択的に回転させることができるようにするために設けられる。接続部（９）は、密閉キャップ（１）を容器に付けると共に密閉キャップ（１）内の溝（１０）を介して容器から製品を製品分配チャネル（５）に供給するのに使用される。蓋（３）が的確に閉じられていないとき、又は容器に不用意に圧力が掛けられたときに、製品が放出されるのを確実に防ぐため、封止部（１５）が開口部（４）上に設けられる。
2009504525.tif 000002
【特許請求の範囲】
【請求項１】
容器用の密閉キャップ（１）であって、
開口部（４）に至る製品分配チャネル（５）が設けられたディスク状の蓋（３）と、
前記蓋（３）をヒンジ（６）の周りで回転させることができるようにし、そうすることによって前記蓋（３）を、前記開口部（４）がケーシング部材（７）の内側表面（８）によって封止される閉鎖位置と、前記開口部（４）が前記ケーシング部材（７）によって覆われない開放位置とに選択的に回転させることができるようにするために、前記蓋（３）を前記密閉キャップ（１）の前記ケーシング部材（７）にヒンジ状に取り付けたヒンジ（６）と、
接続部（９）、特に、前記密閉キャップ（１）を前記容器上に据付けると共に前記密閉キャップ（１）の溝（１０）を介して前記容器の製品を前記製品分配チャネル（５）へ供給するねじ山と
を備え、
封止部（１５）が前記開口部（４）上に設けられると共に前記ケーシング部材（７）の前記内側表面（８）に対して前記蓋（３）を封止するのに使用される、密閉キャップ。
【請求項２】
前記封止部（１５）は、前記内側表面（８）上に第１シール面（１６）を有し、前記開口部（４）上及び前記蓋（３）上に設けられた第２シール面（１７）が前記第１シール面（１６）に対して作用する、請求項１に記載の密閉キャップ。
【請求項３】
２つのシールウェブ（１８）が前記蓋（３）上に設けられると共に前記回転の方向を横断して前記開口部（４）の上方及び下方を通る、請求項１又は２に記載の密閉キャップ。
【発明の詳細な説明】
【技術分野】
【０００１】
本出願の主題は、ディスク形の蓋状密閉部を備えた容器に関する。このタイプの容器は回転する蓋を有する。蓋は、例えば、密閉キャップの頭部領域を形成する。蓋の一方の縁部を手で押すことにより、蓋の反対側の縁部が上向きに回転し、蓋に設けられた開口部が製品を分配できるようになる。製品が放出された後、蓋はその元の位置に押し戻されて、開口部を封止する。
【背景技術】
【０００２】
このタイプの容器用密閉キャップは、米国特許出願第６，５６４，９７８号Ｂ１から分かる。密閉キャップは、開口部に至る製品分配チャネルが設けられたディスクタイプの蓋を有する。蓋をヒンジの周りで回転させることができるようにし、そうすることによって蓋を、開口部がケーシング部材の内側表面によって封止される閉鎖位置と開口部がケーシング部材によって覆われない開放位置とに選択的に回転させることができるようにするために、ヒンジを使用して、蓋が密閉キャップのケーシング部材上で保持される。密閉キャップを容器上に付けると共に密閉キャップ内の溝を介して容器の製品を製品分配チャネルへ供給するため、接続部、特にねじ山が設けられる。
【発明の開示】
【発明が解決しようとする課題】
【０００３】
既知の密閉キャップは、蓋が的確に閉じられていない場合、製品が開口部から漏れる可能性があるという不利な点を有する。
【０００４】
従って、本発明の目的は、この不利な点に対する解決策を提供することである。
【課題を解決するための手段】
【０００５】
この目的は、請求項１で特徴付けられた部分に従って達成される。請求項１によれば、蓋をケーシング部材の内側表面に対して封止するのに使用される封止部が、開口部上に設けられる。
【０００６】
提案される新技術は、蓋が的確に閉じられていないとき、又は容器に不用意に圧力が掛けられた場合に、製品が開口部から望ましくない形で放出されることを確実に防ぐという利点を有する。内側表面上にシール面を有し、それに対して、開口部上及び蓋上に設けられた第２シール面が作用する場合、特に信頼できる封止が達成される（請求項２）。
【０００７】
内側表面に粘着する製品を剥がすため、回転方向を横断して開口部の上方及び下方を通る２つのシールウェブを、蓋上に設けることが提案される（請求項３）。蓋を回転させると、付着した製品が内側表面から拭い取られる。蓋を開けた場合、下側のシールウェブが上向きに動いて、ケーシング部材の内側表面に粘着している製品を剥がすので、ケーシング部材のこの範囲がきれいになる。製品が除去された後、少量の製品が蓋の開口部上に残っていることがある。上側シールウェブは、蓋を閉じるときに蓋が非閉鎖位置を通り過ぎて回転する場合、この少量が内側表面を覆うことを防ぐ。
【発明を実施するための最良の形態】
【０００８】
容器用の密閉キャップ１（図１）では、開口部４に至る製品分配チャネル５がディスク状の蓋３の中に設けられる（図４）。ヒンジ６を回転させることができるようにし、そうすることによって蓋３を、開口部４がケーシング部材７の内側表面８によって封止される閉鎖位置（図４）と開口部４がケーシング部材７によって覆われない開放位置（図６）とに選択的に回転させることができるようにするために、ヒンジ６（図２、図８）を使用して、蓋３が密閉キャップ１のケーシング部材７上でヒンジ状に支持される。ねじ山として設計された接続部９は、密閉キャップ１を容器に付けると共に密閉キャップ１の溝１０を介して容器から製品を製品分配チャネル５へ供給するのに使用される。ヒンジ６はスナップ密閉部として設計される。従って、蓋３を、それ以外は完全な密閉キャップ１上に簡便な形で配置することができる（図２）。その後は完全になる密閉キャップ（図１、図３）は、次に、指支持部１９を手で押すことによって開けられてもよい。
【０００９】
図１〜８の代表的な実施形態では、蓋３は、そのキャップ内部１１に面する面上に２つのヒンジ溝１２を有し、それらはキャップ内部１１に向かって開いており、ケーシング部材７に接続されたヒンジピン１３をそれぞれ保持する。
【００１０】
対照的に、図９の代表的な実施形態における密閉キャップ１の蓋３は、そのキャップ内部１１に面する面上に２つのヒンジピン１３を有し、それらはケーシング部材７に接続された２つのヒンジ溝１２によって保持される。
【００１１】
両方の代表的な実施形態に共通なのは、ヒンジ溝１２の２つのアンダーカット１４がそれぞれ、ヒンジ溝１２を１つのヒンジピン１３上にスナップ留めするのに使用されることである。ケーシング部材７の２つの向かい合った面それぞれの上には、ヒンジ溝１２内に係合するヒンジピン１３が設けられる。配向斜面２は、蓋３が不的確に配置された場合であっても蓋３の正確な据付けを達成するため、４つのアンダーカット１４それぞれと境を接する。ヒンジ溝１２上の２つの配向斜面２はそれぞれ、ヒンジピン１３を挿入するためのファンネルとして機能する。
【００１２】
封止部１５が開口部４上に設けられ、ケーシング部材７の内側表面８に対して蓋３を封止するのに使用される（図５）。封止部１５は、内側表面８上に第１シール面１６を有し、開口部４上及び蓋３上に設けられた第２シール面１７が前記第１シール面（１６）に対して作用する。回転方向を横断して開口部４の上方及び下方を通る２つのシールウェブ１８が、蓋３上に設けられる。封止部１５は、シール面１６に接して配置されたシールウェブ１８によって形成される。それは、蓋３が的確に閉じられていなくても、製品が漏れるのを確実に防ぐ。更に、シールウェブは、内側表面８に粘着している製品の残留物を剥がすのに使用されるので、内側表面８では製品の顕著なエンクラステーションは発生しない。
【００１３】
［符号の説明］
１  密閉キャップ
２  配向斜面
３  蓋
４  開口部
５  製品分配チャネル
６  ヒンジ
７  ケーシング部材
８  内側表面
９  接続部
１０  溝
１１  キャップ内部
１２  ヒンジ溝
１３  ヒンジピン
１４  アンダーカット
１５  封止部
１６、１７  シール面
１８  シールウェブ
１９  指支持部
【００１４】
本発明は、２つの代表的な実施形態を示す図面を参照して以下に詳細に記載される。
次のものが図示されている。
【図面の簡単な説明】
【００１５】
【図１】ケーシング部材の頭部領域内に回転する蓋を有する容器の密閉キャップの斜視図。
【図２】蓋が除去されている図１の密閉キャップの斜視図。
【図３】図１の密閉キャップの上面図。
【図４】蓋が閉じられている図１の密閉キャップの、図３のＡ−Ａに沿った断面図。
【図５】図４の細部Ｘの断面図。
【図６】蓋が回転され、それによって開かれたときの図１の密閉キャップの、図３のＡ−Ａに沿った断面図。
【図７】蓋が閉じられている図１の密閉キャップの、図３のＣ−Ｃに沿った断面図。
【図８】蓋が閉じられている図１の密閉キャップの、図３のＤ−Ｄに沿った断面図。
【図９】図８に類似するが、異なるように設計されたスナップ密閉部を蓋とケーシング部材の間に備える物体の断面図。
【図１】
2009504525.tif 000003
【図２】
2009504525.tif 000004
【図３】
2009504525.tif 000005
【図４】
2009504525.tif 000006
【図５】
2009504525.tif 000007
【図６】
2009504525.tif 000008
【図７】
2009504525.tif 000009
【図８】
2009504525.tif 000010
【図９】
2009504525.tif 000011
【国際調査報告】
2009504525.tif 000012
2009504525.tif 000013